(57)【要約】【課題】ユーザが好ましいと感じることができるであろうコンテンツを、的確に選択提供することができる装置を提供する。【解決手段】複数個のコンテンツのデータを格納するコンテンツ格納部１４と、ユーザのコンテンツ選択傾向を判定するための情報を記憶する選択傾向判定用情報記憶部１４とを備える。ユーザの心理状態や、環境状態や、ユーザ属性情報のうちの少なくとも一つに基づいて、コンテンツ格納部から再生候補コンテンツを選択する第１の選択手段と、この第１の選択手段で選択された複数個の再生候補コンテンツから、選択傾向判定用情報記憶部の情報から判定されたユーザのコンテンツ選択傾向に基づいて、１つの再生候補コンテンツを選択する第２の選択手段とを備える。【選択図】図１
2006146630.tif 000002
【特許請求の範囲】
【請求項１】
複数個のコンテンツのデータを格納するコンテンツ格納部と、
ユーザの生体情報を取得する生体情報取得手段と、
前記ユーザのコンテンツ選択傾向を判定するための情報を記憶するコンテンツ選択傾向判定用情報記憶部と、
前記生体情報取得手段で取得した前記生体情報から前記ユーザの心理状態を判定し、その心理状態に基づいて、前記コンテンツ格納部から再生候補コンテンツを選択する第１の選択手段と、
前記第１の選択手段で選択された前記再生候補コンテンツが複数個のときに、前記選択傾向判定用情報記憶部の情報から判定された前記ユーザのコンテンツ選択傾向に基づいて、前記複数個の再生候補コンテンツから１つの再生候補コンテンツを選択する第２の選択手段と、
を備えるコンテンツ選択再生装置。
【請求項２】
複数個のコンテンツのデータを格納するコンテンツ格納部と、
自装置の環境状態を判定するための情報を取得する環境状態情報取得手段と、
前記ユーザのコンテンツ選択傾向を判定するための情報を記憶するコンテンツ選択傾向判定用情報記憶部と、
前記環境状態情報取得手段で取得した前記環境状態を判定するための情報に基づいて判定された自装置の環境状態に基づいて、前記コンテンツ格納部から再生候補コンテンツを選択する第１の選択手段と、
前記第１の選択手段で選択された前記再生候補コンテンツが複数個のときに、前記選択傾向判定用情報記憶部の情報から判定された前記ユーザのコンテンツ選択傾向に基づいて、前記複数個の再生候補コンテンツから１つの再生候補コンテンツを選択する第２の選択手段と、
を備えるコンテンツ選択再生装置。
【請求項３】
複数個のコンテンツのデータを格納するコンテンツ格納部と、
ユーザについて登録された属性情報を格納する属性情報格納部と、
前記ユーザのコンテンツ選択傾向を判定するための情報を記憶するコンテンツ選択傾向判定用情報記憶部と、
前記属性情報格納部に記憶された前記ユーザの属性情報に基づいて、前記コンテンツ格納部から再生候補コンテンツを選択する第１の選択手段と、
前記第１の選択手段で選択された前記再生候補コンテンツが複数個のときに、前記選択傾向判定用情報記憶部の情報から判定された前記ユーザのコンテンツ選択傾向に基づいて、前記複数個の再生候補コンテンツから１つの再生候補コンテンツを選択する第２の選択手段と、
を備えるコンテンツ選択再生装置。
【請求項４】
ユーザの生体情報を取得する生体情報取得ステップと、
前記ユーザのコンテンツ選択傾向を判定するための情報をコンテンツ選択傾向判定用情報記憶部に記憶するステップと、
前記生体情報取得ステップで取得した前記生体情報から前記ユーザの心理状態を判定し、その心理状態に基づいて、複数個のコンテンツのデータを格納するコンテンツ格納部から再生候補コンテンツを選択する第１の選択ステップと、
前記第１の選択ステップで選択された前記再生候補コンテンツが複数個のときに、前記選択傾向判定用情報記憶部の情報から判定された前記ユーザのコンテンツ選択傾向に基づいて、前記複数個の再生候補コンテンツから１つの再生候補コンテンツを選択する第２の選択ステップと、
を備えるコンテンツ選択再生方法。
【請求項５】
環境情報を取得する環境情報取得ステップと、
ユーザのコンテンツ選択傾向を判定するための情報をコンテンツ選択傾向判定用情報記憶部に記憶するステップと、
前記環境情報取得ステップで取得した前記環境情報に基づいて判定された自装置の環境状態に基づいて、複数個のコンテンツのデータを格納するコンテンツ格納部から再生候補コンテンツを選択する第１の選択ステップと、
前記第１の選択ステップで選択された前記再生候補コンテンツが複数個のときに、前記選択傾向判定用情報記憶部の情報から判定された前記ユーザのコンテンツ選択傾向に基づいて、前記複数個の再生候補コンテンツから１つの再生候補コンテンツを選択する第２の選択ステップと、
を備えるコンテンツ選択再生方法。
【請求項６】
ユーザについて登録された属性情報を属性情報格納部に格納するステップと、
前記ユーザのコンテンツ選択傾向を判定するための情報をコンテンツ選択傾向判定用情報記憶部に記憶するステップと、
前記属性情報格納部に記憶された前記ユーザの属性情報に基づいて、前記コンテンツ格納部から再生候補コンテンツを選択する第１の選択ステップと、
前記第１の選択ステップで選択された前記再生候補コンテンツが複数個のときに、前記選択傾向判定用情報記憶部の情報から判定された前記ユーザのコンテンツ選択傾向に基づいて、前記複数個の再生候補コンテンツから１つの再生候補コンテンツを選択する第２の選択ステップと、
を備えるコンテンツ選択再生方法。
【請求項７】
コンテンツ配信サーバ装置と、コンテンツ受信再生装置とからなり、
前記コンテンツ受信再生装置は、
ユーザの生体情報を取得する生体情報取得手段と、
ユーザ識別情報を含むコンテンツ配信要求を前記コンテンツ配信サーバ装置に送ると共に、前記生体情報取得手段で取得した前記ユーザの生体情報を前記コンテンツ配信サーバ装置に送る送信手段と、
前記コンテンツ配信サーバ装置から送られてくるコンテンツのデータを受信する手段と、
を備え、
前記コンテンツ配信サーバ装置は、
複数個のコンテンツのデータを格納するコンテンツ格納部と、
ユーザ毎のコンテンツ選択傾向を判定するための情報を、ユーザ識別情報に対応して記憶するコンテンツ選択傾向判定用情報記憶部と、
前記コンテンツ受信再生装置からの前記コンテンツ配信要求および前記ユーザの生体情報を受信する受信手段と、
前記受信手段で受信した前記ユーザの生体情報から前記ユーザの心理状態を判定し、その心理状態に基づいて、前記コンテンツ格納部から再生候補コンテンツを選択する第１の選択手段と、
前記第１の選択手段で選択された前記再生候補コンテンツが複数個のときに、前記選択傾向判定用情報記憶部の情報から、前記受信手段で受信した前記ユーザ識別情報に対応するユーザのコンテンツ選択傾向を判定し、当該ユーザのコンテンツ選択傾向に基づいて、前記複数個の再生候補コンテンツから１つの再生候補コンテンツを選択する第２の選択手段と、
前記第２の選択手段で選択された前記１つの再生候補コンテンツを前記コンテンツ受信再生装置に送る手段と、
を備えることを特徴とするコンテンツ配信システム。
【請求項８】
コンテンツ配信サーバ装置と、コンテンツ受信再生装置とからなり、
前記コンテンツ受信再生装置は、
環境情報を取得する環境情報取得手段と、
ユーザ識別情報を含むコンテンツ配信要求を前記コンテンツ配信サーバ装置に送ると共に、前記環境情報取得手段で取得した前記環境情報を前記コンテンツ配信サーバ装置に送る送信手段と、
前記コンテンツ配信サーバ装置から送られてくるコンテンツのデータを受信する手段と、
を備え、
前記コンテンツ配信サーバ装置は、
複数個のコンテンツのデータを格納するコンテンツ格納部と、
ユーザ毎のコンテンツ選択傾向を判定するための情報を、ユーザ識別情報に対応して記憶するコンテンツ選択傾向判定用情報記憶部と、
前記コンテンツ受信再生装置からの前記コンテンツ配信要求および前記環境情報を受信する受信手段と、
前記受信手段で受信した前記環境情報に基づいて、前記コンテンツ格納部から再生候補コンテンツを選択する第１の選択手段と、
前記第１の選択手段で選択された前記再生候補コンテンツが複数個のときに、前記選択傾向判定用情報記憶部の情報から、前記受信手段で受信した前記ユーザ識別情報に対応するユーザのコンテンツ選択傾向を判定し、当該ユーザのコンテンツ選択傾向に基づいて、前記複数個の再生候補コンテンツから１つの再生候補コンテンツを選択する第２の選択手段と、
前記第２の選択手段で選択された前記１つの再生候補コンテンツを前記コンテンツ受信再生装置に送る手段と、
を備えることを特徴とするコンテンツ配信システム。
【請求項９】
コンテンツ配信サーバ装置と、コンテンツ受信再生装置とからなり、
前記コンテンツ受信再生装置は、
ユーザについて登録された属性情報を格納する属性情報格納部と、
ユーザ識別情報を含むコンテンツ配信要求を前記コンテンツ配信サーバ装置に送ると共に、前記属性情報格納部に格納されている前記ユーザの属性情報を前記コンテンツ配信サーバ装置に送る送信手段と、
前記コンテンツ配信サーバ装置から送られてくるコンテンツのデータを受信する手段と、
を備え、
前記コンテンツ配信サーバ装置は、
複数個のコンテンツのデータを格納するコンテンツ格納部と、
ユーザ毎のコンテンツ選択傾向を判定するための情報を、ユーザ識別情報に対応して記憶するコンテンツ選択傾向判定用情報記憶部と、
前記コンテンツ受信再生装置からの前記コンテンツ配信要求および前記ユーザの属性情報を受信する受信手段と、
前記受信手段で受信した前記ユーザの属性情報に基づいて、前記コンテンツ格納部から再生候補コンテンツを選択する第１の選択手段と、
前記第１の選択手段で選択された前記再生候補コンテンツが複数個のときに、前記選択傾向判定用情報記憶部の情報から、前記受信手段で受信した前記ユーザ識別情報に対応するユーザのコンテンツ選択傾向を判定し、当該ユーザのコンテンツ選択傾向に基づいて、前記複数個の再生候補コンテンツから１つの再生候補コンテンツを選択する第２の選択手段と、
前記第２の選択手段で選択された前記１つの再生候補コンテンツを前記コンテンツ受信再生装置に送る手段と、
を備えることを特徴とするコンテンツ配信システム。
【請求項１０】
コンテンツ配信サーバ装置と、コンテンツ受信再生装置とからなり、
前記コンテンツ受信再生装置は、
ユーザ識別情報を含むコンテンツ配信要求を前記コンテンツ配信サーバ装置に送る送信手段と、
前記コンテンツ配信サーバ装置から送られてくるコンテンツのデータを受信する手段と、
を備え、
前記コンテンツ配信サーバ装置は、
複数個のコンテンツのデータを格納するコンテンツ格納部と、
ユーザ毎に登録された属性情報を、ユーザ識別情報に対応して格納する属性情報格納部と、
ユーザ毎のコンテンツ選択傾向を判定するための情報を、ユーザ識別情報に対応して記憶するコンテンツ選択傾向判定用情報記憶部と、
前記コンテンツ受信再生装置からの前記ユーザ識別情報を含むコンテンツ配信要求を受信する受信手段と、
前記受信手段で受信した前記ユーザ識別情報に基づいて、前記属性情報格納部から、対応するユーザの属性情報を取得する手段と、
前記取得された前記ユーザの属性情報に基づいて、前記コンテンツ格納部から再生候補コンテンツを選択する第１の選択手段と、
前記第１の選択手段で選択された前記再生候補コンテンツが複数個のときに、前記選択傾向判定用情報記憶部の情報から、前記受信手段で受信した前記ユーザ識別情報に対応するユーザのコンテンツ選択傾向を判定し、当該ユーザのコンテンツ選択傾向に基づいて、前記複数個の再生候補コンテンツから１つの再生候補コンテンツを選択する第２の選択手段と、
前記第２の選択手段で選択された前記１つの再生候補コンテンツを前記コンテンツ受信再生装置に送る手段と、
を備えることを特徴とするコンテンツ配信システム。
【請求項１１】
コンテンツ検索サーバ装置と、コンテンツ再生装置とからなり、
前記コンテンツ再生装置は、
ユーザの生体情報を取得する生体情報取得手段と、
ユーザ識別情報を含むコンテンツ検索要求を前記コンテンツ検索サーバ装置に送ると共に、前記生体情報取得手段で取得した前記ユーザの生体情報を前記コンテンツ検索サーバ装置に送る送信手段と、
前記コンテンツ検索サーバ装置から送られてくるコンテンツ識別情報を受信する手段と、
を備え、
前記コンテンツ検索サーバ装置は、
複数個のコンテンツの属性データを、コンテンツ識別情報に対応して格納するコンテンツ属性格納部と、
ユーザ毎のコンテンツ選択傾向を判定するための情報を、ユーザ識別情報に対応して記憶するコンテンツ選択傾向判定用情報記憶部と、
前記コンテンツ再生装置からの前記コンテンツ検索要求および前記ユーザの生体情報を受信する受信手段と、
前記受信手段で受信した前記ユーザの生体情報から前記ユーザの心理状態を判定し、その心理状態に基づいて、前記コンテンツ属性格納部から再生候補コンテンツのコンテンツ識別情報を選択する第１の選択手段と、
前記第１の選択手段で選択された前記再生候補コンテンツのコンテンツ識別情報が複数個のときに、前記選択傾向判定用情報記憶部の情報から、前記受信手段で受信した前記ユーザ識別情報に対応するユーザのコンテンツ選択傾向を判定し、当該ユーザのコンテンツ選択傾向に基づいて、前記複数個の再生候補コンテンツのうちの１つの再生候補コンテンツのコンテンツ識別情報を選択する第２の選択手段と、
前記第２の選択手段で選択された前記１つの再生候補コンテンツのコンテンツ識別情報を前記コンテンツ再生装置に送る手段と、
を備えることを特徴とするコンテンツ検索システム。
【請求項１２】
コンテンツ検索サーバ装置と、コンテンツ再生装置とからなり、
前記コンテンツ再生装置は、
環境情報を取得する環境情報取得手段と、
ユーザ識別情報を含むコンテンツ検索要求を前記コンテンツ検索サーバ装置に送ると共に、前記環境情報取得手段で取得した前記環境情報を前記コンテンツ検索サーバ装置に送る送信手段と、
前記コンテンツ検索サーバ装置から送られてくるコンテンツ識別情報を受信する手段と、
を備え、
前記コンテンツ検索サーバ装置は、
複数個のコンテンツの属性データを、コンテンツ識別情報に対応して格納するコンテンツ属性格納部と、
ユーザ毎のコンテンツ選択傾向を判定するための情報を、ユーザ識別情報に対応して記憶するコンテンツ選択傾向判定用情報記憶部と、
前記コンテンツ再生装置からの前記コンテンツ検索要求および前記環境情報を受信する受信手段と、
前記受信手段で受信した前記環境情報に基づいて、前記コンテンツ属性格納部から再生候補コンテンツのコンテンツ識別情報を選択する第１の選択手段と、
前記第１の選択手段で選択された前記再生候補コンテンツのコンテンツ識別情報が複数個のときに、前記選択傾向判定用情報記憶部の情報から、前記受信手段で受信した前記ユーザ識別情報に対応するユーザのコンテンツ選択傾向を判定し、当該ユーザのコンテンツ選択傾向に基づいて、前記複数個の再生候補コンテンツのうちの１つの再生候補コンテンツのコンテンツ識別情報を選択する第２の選択手段と、
前記第２の選択手段で選択された前記１つの再生候補コンテンツのコンテンツ識別情報を前記コンテンツ再生装置に送る手段と、
を備えることを特徴とするコンテンツ検索システム。
【請求項１３】
コンテンツ検索サーバ装置と、コンテンツ再生装置とからなり、
前記コンテンツ再生装置は、
ユーザについて登録された属性情報を格納する属性情報格納部と、
ユーザ識別情報を含むコンテンツ配信要求を前記コンテンツ検索サーバ装置に送ると共に、前記属性情報格納部に格納されている前記ユーザの属性情報を前記コンテンツ検索サーバ装置に送る送信手段と、
前記コンテンツ検索サーバ装置から送られてくるコンテンツ識別情報を受信する手段と、
を備え、
前記コンテンツ検索サーバ装置は、
複数個のコンテンツの属性データを、コンテンツ識別情報に対応して格納するコンテンツ属性格納部と、
ユーザ毎のコンテンツ選択傾向を判定するための情報を、ユーザ識別情報に対応して記憶するコンテンツ選択傾向判定用情報記憶部と、
前記コンテンツ再生装置からの前記コンテンツ検索要求および前記ユーザの属性情報を受信する受信手段と、
前記受信手段で受信した前記ユーザの属性情報に基づいて、前記コンテンツ属性格納部から再生候補コンテンツのコンテンツ識別情報を選択する第１の選択手段と、
前記第１の選択手段で選択された前記再生候補コンテンツのコンテンツ識別情報が複数個のときに、前記選択傾向判定用情報記憶部の情報から、前記受信手段で受信した前記ユーザ識別情報に対応するユーザのコンテンツ選択傾向を判定し、当該ユーザのコンテンツ選択傾向に基づいて、前記複数個の再生候補コンテンツのうちの１つの再生候補コンテンツのコンテンツ識別情報を選択する第２の選択手段と、
前記第２の選択手段で選択された前記１つの再生候補コンテンツのコンテンツ識別情報を前記コンテンツ再生装置に送る手段と、
を備えることを特徴とするコンテンツ配信システム。
【請求項１４】
コンテンツ検索サーバ装置と、コンテンツ再生装置とからなり、
前記コンテンツ再生装置は、
ユーザ識別情報を含むコンテンツ検索要求を前記コンテンツ検索サーバ装置に送る送信手段と、
前記コンテンツ検索サーバ装置から送られてくるコンテンツのデータを受信する手段と、
を備え、
前記コンテンツ検索サーバ装置は、
複数個のコンテンツのデータを格納するコンテンツ格納部と、
ユーザ毎に登録された属性情報を、ユーザ識別情報に対応して格納する属性情報格納部と、
ユーザ毎のコンテンツ選択傾向を判定するための情報を、ユーザ識別情報に対応して記憶するコンテンツ選択傾向判定用情報記憶部と、
前記コンテンツ再生装置からの前記コンテンツ検索要求および前記ユーザの属性情報を受信する受信手段と、
前記受信手段で受信した前記ユーザ識別情報に基づいて、前記属性情報格納部から、対応するユーザの属性情報を取得する手段と、
前記取得された前記ユーザの属性情報に基づいて、前記コンテンツ格納部から再生候補コンテンツを選択する第１の選択手段と、
前記第１の選択手段で選択された前記再生候補コンテンツが複数個のときに、前記選択傾向判定用情報記憶部の情報から、前記受信手段で受信した前記ユーザ識別情報に対応するユーザのコンテンツ選択傾向を判定し、当該ユーザのコンテンツ選択傾向に基づいて、前記複数個の再生候補コンテンツから１つの再生候補コンテンツを選択する第２の選択手段と、
前記第２の選択手段で選択された前記１つの再生候補コンテンツを前記コンテンツ再生装置に送る手段と、
を備えることを特徴とするコンテンツ検索システム。
【発明の詳細な説明】
【技術分野】
【０００１】
この発明は、複数のコンテンツの中から、ユーザにお薦めのコンテンツを適切に選択して提供することができるようにするコンテンツ選択再生装置、コンテンツ選択再生方法並びにコンテンツ配信システム、コンテンツ検索システムに関する。
【背景技術】
【０００２】
例えば、自動車を運転中に音楽を聴く場合に、ＣＤ（Ｃｏｍｐａｃｔ  Ｄｉｓｃ）やハードディスクなどの記憶媒体に格納されている複数の楽曲を、ランダムな順序で再生するようにすることがある。
【０００３】
最近は、特に、ハードディスクなど記憶媒体の大容量化に伴い、記憶媒体に大量の楽曲が格納できるようになってきており、その大量の楽曲の中から、現在の自分の状況にマッチした楽曲を、再生装置が自動的に選曲して提供してくれると、より快適に運転を続けることができると期待できる。特に運転中は、大量の楽曲の中から、ユーザ（運転者）がマニュアル操作により、希望する楽曲を選択することは大変危険であり、逆に精神的な負担を強いることにもなりかねない。
【０００４】
そこで、この種の自動楽曲選択方法が、種々提案されている。例えば、特許文献１（特開２００３−０１４４６８公報）には、自動車の走行位置および走行状態に応じて所定の音楽を再生させることができるようにする再生装置が記載されている。
【０００５】
すなわち、特許文献１の再生装置においては、具体的には、事前に、ユーザは、サブウインドウに表示されている地図上において、設定したい位置にポインタを合わせてそこをクリックし、地点情報を設定する。また、ユーザは、再生装置において、所定のエリアと所定の走行状態（例えば、渋滞中など）とを設定する。そして、ユーザは、再生装置に対して、設定された位置、エリアおよび走行状態の条件を満たした場合に再生させる音楽を設定する。
【０００６】
以上のようにして事前の設定が完了したら、自動車を走行させる。すると、再生装置は、自動車が設定されたエリアに入った場合、設定された走行状態と一致するか否かを判定し、一致する場合、設定された音楽を再生するようにする。
【０００７】
また、特許文献２（特開２００３−１５０１７６公報）の「自動車の音楽情報提供装置、自動車の音楽情報提供方法、自動車の音楽情報提供用プログラム、及び、車載の音楽情報提供装置」には、走行環境に合致した音楽を操作の煩わしさ無しに聴くことができる音楽情報提供装置が記載されている。
【０００８】
この特許文献２の発明によれば、音楽情報提供サーバが、自動車の走行環境に関連させて予め設定された音楽情報提供装置からの選曲条件を受信すると、自動車の走行環境を判定し、この判定された走行環境に基づいて選曲条件に合致する楽曲を選択して自動車の音楽情報提供装置に送信する。この場合の選曲条件は、具体的には、特定位置、特定エリア、特定時間帯、特定日時、天候、渋滞路、高速道路、峠道、観光名所、市街地の少なくとも２つの走行環境に対して設定可能としている。つまり、特許文献２では、走行位置や日時、天候などにより楽曲を選択して、自動車に搭載されている音楽情報提供装置に配信するものである。
【０００９】
上記の先行特許文献は、次の通りである。
【特許文献１】特開２００３−０１４４６８公報
【特許文献１】特開２００３−１５０１７６公報
【発明の開示】
【発明が解決しようとする課題】
【００１０】
上記の特許文献１で開示される方法によれば、自動車の走行位置と走行状態に応じて自動的に楽曲が選曲されて再生され、便利である。しかしながら、特許文献１の場合には、予めユーザが設定した条件にしたがって楽曲が選択されるだけであるので、選曲条件に対応した楽曲が一意に決定され、意外性が乏しいという欠点がある。
【００１１】
また、特許文献１の方法の場合、そのときのユーザ（リスナー）の心理状態や環境状態には依らずに楽曲が選択される。このため、場合によっては、リスナーの快適感を逆に減じてしまうこともあるという欠点もある。
【００１２】
また、特許文献２に開示された方法によれば、走行環境に応じた楽曲が自動的にユーザ（リスナー）に提供されるが、特許文献２の場合には、提供される楽曲がリスナーの好みに合致する楽曲であるか、あるいはそのときのリスナーの心理状態に合致する楽曲であるかは分からず、逆にリスナーの不快感を増してしまうこともあり得るという問題がある。
【００１３】
また、一般に、同じ心理状態、環境状態であっても、リスナーによって、好まれるコンテンツの傾向は、同じになるとは限らない。例えば、渋滞で、いらいらしているときには、ゆったりとした楽曲を好むユーザもいれば、アップテンポの楽曲を好むユーザもいる。前記特許文献１，２の方法では、このようなユーザの嗜好は全く考慮されていないので、ユーザが好ましいと感じることができるであろうと思われる楽曲コンテンツを、的確に選択して提供することが困難である。
【００１４】
この発明は、以上の点にかんがみ、ユーザが好ましいと感じることができるであろうコンテンツを、的確に選択提供することができる方法および装置を提供することを目的とする。
【課題を解決するための手段】
【００１５】
上記の課題を解決するために、請求項１の発明は、
複数個のコンテンツのデータを格納するコンテンツ格納部と、
ユーザの生体情報を取得する生体情報取得手段と、
前記ユーザのコンテンツ選択傾向を判定するための情報を記憶するコンテンツ選択傾向判定用情報記憶部と、
前記生体情報取得手段で取得した前記生体情報から前記ユーザの心理状態を判定し、その心理状態に基づいて、前記コンテンツ格納部から再生候補コンテンツを選択する第１の選択手段と、
前記第１の選択手段で選択された前記再生候補コンテンツが複数個のときに、前記選択傾向判定用情報記憶部の情報から判定された前記ユーザのコンテンツ選択傾向に基づいて、前記複数個の再生候補コンテンツから１つの再生候補コンテンツを選択する第２の選択手段と、
を備えるコンテンツ選択再生装置を提供する。
【００１６】
また、請求項２の発明は、
複数個のコンテンツのデータを格納するコンテンツ格納部と、
自装置の環境状態を判定するための情報を取得する環境状態情報取得手段と、
前記ユーザのコンテンツ選択傾向を判定するための情報を記憶するコンテンツ選択傾向判定用情報記憶部と、
前記環境状態情報取得手段で取得した前記環境状態を判定するための情報に基づいて判定された自装置の環境状態に基づいて、前記コンテンツ格納部から再生候補コンテンツを選択する第１の選択手段と、
前記第１の選択手段で選択された前記再生候補コンテンツが複数個のときに、前記選択傾向判定用情報記憶部の情報から判定された前記ユーザのコンテンツ選択傾向に基づいて、前記複数個の再生候補コンテンツから１つの再生候補コンテンツを選択する第２の選択手段と、
を備えるコンテンツ選択再生装置を提供する。
【００１７】
また、請求項３の発明は、
複数個のコンテンツのデータを格納するコンテンツ格納部と、
ユーザについて登録された属性情報を格納する属性情報格納部と、
前記ユーザのコンテンツ選択傾向を判定するための情報を記憶するコンテンツ選択傾向判定用情報記憶部と、
前記属性情報格納部に記憶された前記ユーザの属性情報に基づいて、前記コンテンツ格納部から再生候補コンテンツを選択する第１の選択手段と、
前記第１の選択手段で選択された前記再生候補コンテンツが複数個のときに、前記選択傾向判定用情報記憶部の情報から判定された前記ユーザのコンテンツ選択傾向に基づいて、前記複数個の再生候補コンテンツから１つの再生候補コンテンツを選択する第２の選択手段と、
を備えるコンテンツ選択再生装置を提供する。
【００１８】
請求項１、請求項２および請求項３の発明は、いずれも、コンテンツ格納部から再生候補コンテンツを選択する第１の選択手段を備えると共に、第１の選択手段で選択された複数個の再生候補コンテンツから１つの再生候補コンテンツを選択する第２の選択手段とを備える。
【００１９】
請求項１，２，３では、再生候補コンテンツを選択するための条件が異なり、請求項１においてはユーザの生体情報に基づいて、請求項２においては自装置の環境状態に基づいて、また、請求項３においてはユーザについて登録された属性情報に基づいて、再生候補コンテンツを選択する。
【００２０】
そして、請求項１，２，３では、第２の選択手段により、選択傾向判定用情報記憶部の情報から判定したユーザのコンテンツ選択傾向に基づいて、複数個の再生候補コンテンツから１つの再生候補コンテンツを選択する。すなわち、第２の選択手段では、ユーザ個々の選択傾向に基づいて、最終的に選択される再生候補コンテンツが定められる。
【発明の効果】
【００２１】
この発明によれば、第１の選択手段によって、ユーザの心理状態や、ユーザの環境状態、ユーザの好む属性などに応じて、複数個のコンテンツの中から、再生候補コンテンツが選択されると共に、最終的には、ユーザのコンテンツの選択傾向に応じて１つのコンテンツが選択されるので、ユーザが好むと思われるコンテンツを的確に選択して、ユーザに提供することができる。
【発明を実施するための最良の形態】
【００２２】
以下、この発明によるコンテンツ選択再生装置、コンテンツ選択再生方法の実施の形態を、図を参照しながら説明する。
【００２３】
図１は、コンテンツ選択再生装置の一実施形態のブロック図である。この実施形態は、コンテンツ選択再生装置が車載用として構成された、いわゆるカーオーディオ装置の場合の例である。
【００２４】
この例のコンテンツ選択再生装置は、マイクロコンピュータを搭載して構成されるもので、図１に示すように、ＣＰＵ（Ｃｅｎｔｒａｌ  Ｐｒｏｃｅｓｓｉｎｇ  Ｕｎｉｔ）１０に対してシステムバス１００を介してプログラムＲＯＭ（Ｒｅａｄ  Ｏｎｌｙ  Ｍｅｍｏｒｙ）１１およびワークエリア用ＲＡＭ（Ｒａｎｄｏｍ  Ａｃｃｅｓｓ  Ｍｅｍｏｒｙ）が接続されている。
【００２５】
そして、システムバス１００には、また、操作入力部１３と、ハードディスク装置部１４と、時計部１５と、画像出力部１６と、ナビゲーション装置部１７と、周辺環境情報センサ１８と、生体情報センサ１９と、車速センサ２０と、音声出力部２１とが接続されている。画像出力部１６からの画像情報は、例えばＬＣＤ（Ｌｉｑｕｉｄ  Ｃｒｙｓｔａｌ  Ｄｉｓｐｌａｙ）からなるディスプレイ２２に供給される。また、音声出力部２１からの音声情報は、スピーカ２３に供給される。
【００２６】
なお、ディスプレイ２２やスピーカ２３は、コンテンツ選択再生装置が備えている必要はなく、コンテンツ選択再生装置は、ディスプレイに画像信号を供給するための画像信号出力端子やスピーカに音声信号を供給する音声信号出力端子を備えているだけでもよい。
【００２７】
操作入力部１３は、ユーザの操作入力を受け付けるボタン操作部（図示を省略）により構成される。この操作入力部１３は、リモコン送信機とリモコン受信機とで構成することもできる。
【００２８】
時計部１５は、カレンダー機能を備え、年月日時分秒の情報を提供する。
【００２９】
ナビゲーション装置部１７は、ＧＰＳアンテナ１７ＡＴで受信された人工衛星からの電波に基づいて、自装置の現在地を演算する。
【００３０】
車速センサ１８は、例えば車速パルスを読み取って自動車の速度を検出し、ナビゲーション装置部１７に供給する。ナビゲーション装置部１７は、演算した現在地と、自装置で演算により求めた、あるいは車速センサ１８で検出した走行速度に応じて、その現在地を含む地図画像を画像出力部１６を通じてディスプレイ２２に表示出力するようにするとともに、現在地に相当する座標位置にマーカを付与するように当該地図画像上に重ねて表示する。ユーザは、ディスプレイ２２で、これらの表示を見ることにより、現在地を視覚的に知ることができる。
【００３１】
また、車速センサ１８により検出された走行速度データにより、渋滞中の走行状態であるか、比較的スムーズな安定走行状態であるか、さらには高速走行しているのかなど、現在の走行状態を知ることができる。
【００３２】
さらに、ナビゲーション装置部１７には、ジャイロセンサ（図示せず）なども搭載されており、現在の自動車の走行方向を知ることができ、走行方向の時間変化も検出情報として採用することにより、都市部や山間部、峠道などハンドルをこまめに操作している状態か、ハイウェイのように高速クルージング状態であるかの判断も可能である。
【００３３】
生体情報センサ１９は、ユーザの生体情報を取得するセンサであり、取得した生体情報をシステムバス１００に送出する。ＣＰＵ１０は、この生態情報から現在のユーザの心理状態（感性、感情、情動など）を分析する。ここで、この生体情報は、ユーザの脈拍数、呼吸数、体温、体動、瞬目、‥‥など、非侵擾なセンサにより取得されるものが好ましい。
【００３４】
この生体情報センサとしては、例えば自動車のハンドルに取り付けられた脈拍センサや体表温度センサ、シート下部や背もたれ部分に埋め込まれた圧力センサ、ユーザの目の動きや瞬きなどを検出するビデオカメラなどが用いられるが、これ以外にもマイクロホンなどの感音センサや振動センサなどを取り付けてもよい。
【００３５】
これらの生体情報センサ１９により取得された生体情報は、ＣＰＵ１０により、対応する心理状態との対応テーブルあるいは変換関数に基づいて、ユーザの現在の心理状態を算出する。このとき、ユーザの心理状態は１つの値を示すものである必要はなく、２軸以上のベクトル化された値で表現されてもよい。
【００３６】
環境情報センサ２０は、気温センサ、湿度センサ、降雨センサなどからなり、センサ出力をシステムバス１００に送出する。ＣＰＵ１０は、環境情報センサ２０からのセンサ出力を受け取り、その時点および場所における周辺環境を判定する際に利用する。
【００３７】
ハードディスク装置部１４には、この例では、音楽コンテンツのデータと、楽曲再生履歴情報と、ユーザ属性情報と、ユーザの性向情報とが、それぞれ別々の記憶エリアとして記憶されている。
【００３８】
この例では、音楽コンテンツのデータは、図２（Ａ）に示すように、楽曲データのみではなく、音楽コンテンツに関する属性情報（以下、楽曲属性の情報という）と、さらには、音楽コンテンツに関連する映像データが付随している場合には、その映像データとが含まれており、それらは、音楽コンテンツＩＤ（ＩＤは、識別情報）により関連付けられている。図２（Ａ）において、ＩＤ１、ＩＤ２、ＩＤ３・・・は、音楽コンテンツＩＤを示している。
【００３９】
楽曲属性の情報は、例えば、図２（Ｂ）に示すように、当該楽曲のジャンル、楽曲名、アーティスト名、楽器、テンポ／キー／コード進行などの楽曲構成情報、明るい／暗い等の曲調、歌詞の有無、季節感、連想する地域、などの情報からなる。
【００４０】
楽曲のジャンルは、クラシック／ポップス／ラテン／演歌／ジャズ／ロック／映画音楽などの分類である。テンポは、１分間の拍子数といった数値以外に、スロー、ミディアム、アップテンポなどの大雑把な分類でもよい。また、３拍子や４拍子といったリズム情報を、楽曲属性の情報に含めてもよい。
【００４１】
曲調は、楽譜情報から提供されたノート情報やコード情報から、当該楽曲が短調であるか、長調であるかといった情報を示すが、ユーザの感じ取った曲調を予め記憶させておいてもよい。
【００４２】
歌詞の有無は、インスツルメンタル曲なのかボーカル曲なのかを示す。場合によっては、歌詞の意味が分からない外国語のボーカル曲は実質的に歌詞を含んでいないインスツルメンタル曲に分類されていてもよい。
【００４３】
季節感や連想する地域は、基本的にコンテンツ提供者あるいはユーザがマニュアル入力して記憶させた情報である。歌詞に出てくる固有の施設名や季節の表現、あるいはユーザの体験に基づく連想キーワードなどが記憶されていてもよい。
【００４４】
次に、再生履歴情報は、当該再生装置において、過去に、どの楽曲をどのくらいの頻度や時間で聴いたかの履歴情報である。再生された音楽コンテンツの識別情報（コンテンツＩＤ）に対応して再生回数（頻度）、その再生時間、その再生時の周辺環境情報等が、この再生履歴情報として記憶される。
【００４５】
ユーザ属性情報は、予め、ユーザがコンテンツ選択再生装置に対して登録したもので、例えば、図３に示すように、名前、性別、年齢、血液型、その他ユーザの嗜好傾向、例えば、好きな色、好きな音楽ジャンル、嫌いな音楽ジャンルなどからなる。複数のユーザが、当該コンテンツ選択再生装置を共同で使用する場合には、ユーザ毎に登録される。図３において、ユーザＩＤａ，ユーザＩＤｂ・・・は、ユーザ識別情報（以下、ユーザＩＤという）である。
【００４６】
これらのユーザ属性情報は、ユーザの行動性向や性格などを推測するうえで使用される。科学的にはその対応関係が立証されているわけではないが、血液型や誕生月、占星術に使用される星座（誕生日）、干支などにより大雑把に推測できるとされている。さらに、色やよく聴く音楽ジャンルなどもユーザの嗜好傾向を判断する材料となる。
【００４７】
なお、コンテンツ選択再生装置が、複数のユーザにより利用される場合には、再生履歴情報も、ユーザ毎に管理される。
【００４８】
コンテンツ選択再生装置が複数のユーザにより使用される場合には、コンテンツ選択再生装置の使用開始時に、使用ユーザは、ユーザＩＤや名前などを入力するようにする。コンテンツ選択再生装置は、当該入力されたユーザＩＤや名前に対応して、当該ユーザのユーザ属性や再生履歴情報を読み出したり、再生履歴情報を更新したりする。
【００４９】
そして、ユーザの性向情報は、ユーザが楽曲コンテンツを選択するときの性向あるいは傾向（以下、コンテンツ選択傾向という）を判断するための情報である。例えば、苛ついている感情を有しているとき、静かで流れるようなスローテンポな楽曲を好むユーザもいれば、逆にアップテンポなリズミカルな楽曲を好むユーザもいる。つまり、同じ心理状態であっても、個々のユーザの性向によって、コンテンツ選択傾向として、まったく反対の属性を有する楽曲を望むことが多々ある。
【００５０】
したがって、上述したような生体情報センサ１９その他から、例えば苛ついているユーザの心理状態を適確に知ることができたとしても、その心理状態のみから、そのユーザが、そのときに欲する楽曲コンテンツを的確に決定することは困難である。
【００５１】
少なくとも、ユーザにとって好ましい楽曲を含むカテゴリーを判断するためには、個々のユーザの“性向”を知る必要がある。そこで、この実施形態では、個々のユーザの性向情報を記憶部に記憶しておき、当該記憶したユーザの性向からコンテンツ選択傾向を判定し、これに基づき、個々のユーザに対して、より適切な楽曲コンテンツを選択して提供するものである。
【００５２】
［ユーザの性向の登録］
ユーザのコンテンツ選択傾向は、例えば上記ユーザ属性情報で説明した血液型、誕生月などから、おおよそ知れる程度の傾向でもよいが、この実施形態では、さらにユーザが好むコンテンツを選択する確度を向上させるために、ある程度直接的にユーザ性向を知るために、簡単な嗜好アンケートにより収集した情報を、ユーザのコンテンツ選択傾向を求めるためのユーザの性向情報として登録するようにする。
【００５３】
図４は、コンテンツ選択再生装置において、嗜好アンケートによるユーザの性向を登録する際における処理の流れを説明するフローチャートである。この図４のフローチャートを開始する前に、性向を登録しようとするユーザのユーザＩＤなどの識別情報がコンテンツ選択再生装置に対して入力されている。
【００５４】
そして、図４に示すように、ＣＰＵ１０は、ユーザから、その性向の登録要求がなされたか否か判別し（ステップＳ１０１）、登録要求が名されていないと判別したときには、その他の処理ルーチンに移行する（ステップＳ１０２）。ステップＳ１０１で、ユーザから性向の登録要求がなされたと判別したときには、ＣＰＵ１０は、ユーザに対して、当該ユーザのコンテンツ選択傾向を決定する材料情報としてのユーザ性向を収集するための設問（アンケート）を呈示する（ステップＳ１０３）。このアンケートによる設問内容は、例えばディスプレイ２２に表示される。
【００５５】
アンケート設問内容は、特定の心理状態および／または環境状態におけるユーザの性向を収集するためのものである。例えば、
（１）「いらついたときは、明るい曲で気分転換したいですか？それとも落ち着いた曲でクールになりたいですか？」
（２）「高速クルージングしているときは、リズミカルな曲で軽い刺激が欲しいですか？それとも、その環境に合致した、落ち着いた曲がお好みですか？」
（３）「同乗者と会話中のＢＧＭは、音量を抑えた曲がよろしいですか？それとも歌声の無いインスツルメンタル曲がよろしいですか？」
（４）「お好きな色はどれですか？」
など、予めコンテンツ選択再生装置に用意されている簡単なアンケートがユーザに呈示される。
【００５６】
次に、ＣＰＵ１０は、上記アンケートに対するユーザの回答の入力を受け付ける（ステップＳ１０４）。そして、ＣＰＵ１０は、上記アンケートに対する回答の入力がすべて終了するのを待ち（ステップＳ１０５）、回答の入力がすべて終了したと判別したときには、ユーザの性向を示す情報として、この例では、ハードディスク装置部１４の対応するエリアに格納して登録する（ステップＳ１０６）。
【００５７】
次に，ＣＰＵ１０は、登録したユーザの性向の情報を自動更新するか否かを問い合わせるメッセージをユーザに提供する（ステップＳ１０７）。そして、ＣＰＵ１０は、これに対するユーザの回答を判別し（ステップＳ１０８）、自動更新すると判別したときには、再生履歴に基づいて、ユーザ性向の情報を更新するようにすることを示すフラグＦＧをオン（例えばＦＧ＝１）として（ステップＳ１０９）、この処理ルーチンを終了する。
【００５８】
また、ステップＳ１０８で、自動更新はしないと判別したときには、ＣＰＵ１０は、ユーザ性向の情報を更新しないことを示すフラグＦＧをオフ（例えばＦＧ＝０）として（ステップＳ１１０）、この処理ルーチンを終了する。
【００５９】
そして、その後、ＣＰＵ１０は、楽曲コンテンツの再生をしながら、その再生履歴を蓄積してゆくが、前記フラグＦＧがオンであるときには、例えば、更新された再生履歴の数が予め定めた数以上になる毎に、当該蓄積された再生履歴に基づいて、ユーザのコンテンツの選択傾向を分析して、その分析結果を、登録されているユーザの性向の情報に反映してゆくようにする。これにより、ユーザのコンテンツの選択傾向を、ユーザの性向の変化に応じて動的に変更することができる。
【００６０】
この場合、再生履歴には、再生された楽曲の属性情報が記録されると共に、当該楽曲が再生開始されたときのユーザの生体情報あるいは後述する心理状態の値、また、周辺環境情報や環境状態を示す情報が、併せて記憶されている。ＣＰＵ１０は、この再生履歴に含まれる心理状態の値や、環境状態に対応して、どのような楽曲属性の楽曲が選択される傾向があるかを判定して、コンテンツ選択傾向を判定するための情報を生成して記憶するようにする。
【００６１】
［実施形態のコンテンツ選択再生装置の動作説明］
以上のような構成のコンテンツ選択再生装置において、例えば、ユーザが自動再生の開始操作をすると、ＣＰＵ１０は、ハードディスク装置部１４から、再生すべき楽曲コンテンツを取り出し、それが所定の圧縮フォーマット、例えば、ＡＴＲＡＣ（Ａｄａｐｔｉｖｅ  Ｔｒａｎｓｆｏｒｍ  Ａｃｏｕｓｔｉｃ  Ｃｏｄｉｎｇ）３ｐｌｕｓやＭＰ３（ＭＰＥＧ（Ｍｏｖｉｎｇ  Ｐｉｃｔｕｒｅ  Ｅｘｐｅｒｔｓ  Ｇｒｏｕｐ）１  Ａｕｄｉｏ  Ｌａｙｅｒ  III）などで圧縮されているものである場合は、取り出したコンテンツデータを復号処理して、音声出力部２１に送る。
【００６２】
音声出力部２１では、復号処理されたコンテンツデータを、Ａ／Ｄ変換器（図示せず）によりアナログ信号に変換し、さらに音量を調整してパワーアンプ（図示せず）に供給する。その楽曲信号は、スピーカ２３から放音され、ユーザはこれを聴く。
【００６３】
上記復号処理は、ＲＯＭ１１に格納されてある復号処理プログラムにしたがって、ＣＰＵ１０がＲＡＭ１２をワークエリアとして使って行うものとしたが、これに限るものではなく、例えば、音声出力部２１に備わるＤＳＰ（Ｄｉｇｉｔａｌ  Ｓｉｇｎａｌ  Ｐｒｏｃｅｓｓｏｒ；信号処理プロセッサ）により行うようにしてもよい。
【００６４】
そして、ＣＰＵ１０は、当該楽曲を再生しながら、次に再生する楽曲コンテンツの候補（再生楽曲候補）を選択して用意する。この際に、この実施形態では、ＣＰＵ１０は、ユーザの心理状態、車の走行状態、環境状態、ユーザ属性などのうち少なくともいずれか１つに基づいて第１の選択をして、複数の再生楽曲候補を先ず決定し、次に、最終的に、個々のユーザのコンテンツ選択傾向により、当該決定された複数の再生楽曲候補の中の一つを、次に再生する楽曲コンテンツとして決定するようにする。
【００６５】
すなわち、コンテンツ選択再生装置は、ユーザの心理状態、車の走行状態、環境状態、ユーザ属性などのうち少なくともいずれか１つをコンテンツ選択条件とする共に、前述した楽曲属性を参照して、コンテンツ選択条件に適合する楽曲属性を備える複数の再生楽曲候補を選択する第１の選択を行なう。そして、コンテンツ選択再生装置は、登録されているユーザの性向の情報に基づいて判定した当該ユーザのコンテンツ選択傾向を用いて、その第１の選択結果の中から、次に再生する楽曲コンテンツを選択する。
【００６６】
［第１の選択に用いるコンテンツ選択条件について］
このコンテンツ選択条件の一つは、前述した図３に例示したユーザ属性である。つまり、このユーザ属性は、ユーザの嗜好傾向を示すものである。前述もしたように、これらのユーザ属性の情報は、ユーザの行動性向や性格などを推測する上で使用されるもので、科学的には、その対応関係が立証されているわけではないが、血液型や誕生月、占星術に使用される星座（誕生日）、干支などにより、どのような楽曲コンテンツを好むかを大雑把に推測できる。さらに、色や、よく聴く音楽ジャンルなどもユーザの嗜好傾向を判断する材料となる。
【００６７】
次に、コンテンツ選択条件の二つ目は、ユーザの心理状態である。ユーザの心理状態は、種々の多数の心理属性を用いて多軸のデータにより表わすことができるが、ここでは、説明の簡単のため、心理状態は、心理属性１と心理属性２の２軸で表わすものとした。
【００６８】
この例においては、心理属性１は、“快・不快”の程度を数値として表わしたもので、ここでは簡単のため、“快”の状態をプラス方向の値とし、その最大を「＋１」とし、逆に、“不快”の状態をマイナス方向の値として、その最小を「−１」とした。“快”でも“不快”でもない平常時の状態は、「０」または「０に近い値」であるとする。図５（Ａ）に、心理属性１の“快・不快”の程度の数値と、その数値に対応するユーザの“快・不快”の感性的な状態との関係の一例を示す。
【００６９】
心理属性２は“沈静・興奮” の程度を数値として表わしたもので、ここでは、“興奮” の状態をプラス方向の値とし、その最大を「＋１」とし、逆に、“沈静” の状態をマイナス方向の値として、その最小を「−１」とした。その中間的な状態、つまり平常時の状態は「０」または「０に近い値」であるとする。図５（Ｂ）に、心理属性１の“沈静・興奮”の程度の数値と、その数値に対応するユーザの“沈静・興奮”の感性的な状態との関係の一例を示す。
【００７０】
例えば、渋滞中でユーザがいらついている状態では、“不快”であって、“興奮”している心理状態であると考えられるので、心理属性１はマイナスの値、心理属性２はプラスの値をとる。ハイウェイをスムーズにクルージングしている走行状態では、“快”状態ではあるが、興奮はしない平常状態であろうから、心理属性１はプラスの値、心理属性２は０に近い値をとる。また、走行状態とは無関係に別の要因、例えば同乗者との会話が弾んで楽しい状態であれば、心理属性１も心理属性２も共にプラスの値をとる。
【００７１】
次に、コンテンツ選択条件の三つ目は、当該時点および場所におけるユーザの環境状態である。この環境状態を判別するために、この実施形態のコンテンツ選択再生装置では、ナビゲーション装置部１７、車速センサ１８および環境情報センサ２０、その他からの情報を用いる。
【００７２】
環境状態を判別するための情報（環境状態判別用情報）としては、この実施形態では、自動車の走行状態の情報と、周辺環境情報とを用いる。つまり、この実施形態では、環境状態判別用情報は、当該時点におけるユーザ周辺環境情報や車の走行状態の情報等で構成されるもので、その時点におけるユーザや自動車が置かれている環境状態を判別するための情報である。
【００７３】
この環境状態判別用情報としての車の走行状態の情報としては、図６（Ａ）に示すように、例えば、安定走行、渋滞、頻繁なハンドル操作、過度な高速走行、などの状態情報が用いられる。
【００７４】
走行状態は、上述のようにＧＰＳを用いたナビゲーション装置部１７による現在位置、車速センサ１８による走行速度、ナビゲーション装置部１７が備えるジャイロセンサによる走行方向などから、図６（Ａ）に例示したような各走行状態を判定することができる。これ以外にも、交通情報サービスなどから提供されるトラフィック情報も判定情報として使用することもできる。さらには、自動車のギヤチェンジの頻度、アクセルペダルやブレーキペダルの操作頻度なども走行状態を判定する情報として用いると、より精度の良い走行状態の判定が行なえる。
【００７５】
周辺環境情報は、図６（Ｂ）に例示するように、日時、位置、天候などの物理的情報のほかに、同乗者の有無、同乗者が居る場合には同乗者との関係、さらにはこのドライブの目的なども含まれる。
【００７６】
日時は、年、月、日および時刻あるいはそれらのうちの一部の情報であり、時計部１５から取得することができる。月が特定されると季節などを知ることができ、年月日から曜日が特定され、時刻から早朝、午前、昼時、午後、夕方、夜間、深夜など生活時間帯のいずれに属するかなどが分かる。
【００７７】
位置は、上述もしたようにナビゲーション装置部１７などで特定することができ、これと、ナビゲーションシステムに備わる地図情報と照合することにより、どのような道路（市街地、ハイウェイ、地方道など）を走行しているか、あるいは海沿いの道路か、山間の道路か、はたまた近くに観光スポットがあるかなどが分かる。
【００７８】
天候は、自動車に搭載されるＦＭ多重放送ラジオで受信される天気情報などで知ることができるが、環境情報センサとしての気温センサや降雨センサなどを用いて実時間で判定することができる。また、ウィンドウ・ワイパーの使用状況から、間接的に天候を知ることができる。
【００７９】
同乗者の有無は、コンテンツ選択再生装置に備えられている入力キーなどでマニュアル入力してもよいが、自動車の座席シート下部に圧力センサを埋め込み、当該圧力センサを用いて検知するようにしてもよい。さらに、同乗者とユーザ（ドライバ）との関係は基本的にはマニュアル入力するものとする。例えば、その親密度などを選択させるようにしてもよい。
【００８０】
この実施形態では、上述の選択条件の１つ、あるいはそれらの組合せにより、その時点でユーザに提供すべき楽曲コンテンツの“候補”を絞るようにする。そして、絞られた再生楽曲候補が複数ある場合には、その複数の再生楽曲候補のうち、ユーザがより好ましいと感じるであろう楽曲を、ユーザの性向に基づくコンテンツ選択性向を用いて選択するものである。
【００８１】
苛ついている状態にあるとき、スローテンポな楽曲を好むユーザもいれば、逆にアップテンポな楽曲を好むユーザもいることは前述した。他にも、同乗者との会話が弾んでいるとき、現在の楽曲のレベルを低くするほうが好ましいと感じるユーザもいれば、逆に、会話に邪魔な歌詞を含まないインスツルメンタル曲に変更するほうが好ましいと感じるユーザもいる。
【００８２】
さらに、高速道路をほぼ一定の速度で巡航しているとき、眠気を催さないように適度な刺激を求めてリズミカルな楽曲を好むユーザもいれば、より落ち着いた雰囲気に浸っていたくてスローなバラード曲を選曲したいユーザもいる。
【００８３】
この実施形態では、以上例示した「選択条件」にしたがって、傾向の異なる複数の楽曲コンテンツが次の再生楽曲候補として選択された場合に、登録されてあるユーザの性向に基づくコンテンツ選択傾向にしたがって最終選択コンテンツを決定するものである。
【００８４】
ここで、注意すべきは、複数の再生楽曲候補に対してユーザの性向のみで最終選択するわけではない。「選択条件」にしたがって選択された複数の再生楽曲候補に対して、当該「選択条件」とユーザ性向とから定まるユーザのコンテンツ選択傾向により、最終選択コンテンツを決定するのである。つまり、どういう状況であったときに（選択条件）、ユーザはどういう傾向の楽曲を好むかを、ユーザのコンテンツ選択傾向とし、このコンテンツ選択傾向を用いることがこの実施形態の特徴である。
【００８５】
つまり、上記のコンテンツ選択条件は、再生楽曲候補を絞るための選択条件であるとともに、ユーザのコンテンツ選択傾向を決定する条件ともなりうるものである。
【００８６】
［自動選曲再生動作の一例］
図７は、この実施形態のコンテンツ選択再生装置における自動選曲再生動作の一例を説明するためのフローチャートである。
【００８７】
この例では、再生開始指示をする前に、ユーザは、自分を識別する情報、例えばユーザＩＤを入力すると共に、最初の１曲を選択する。再生開始された後の楽曲は、コンテンツ選択再生装置が自動的に再生楽曲候補を選定して、ユーザに呈示する。なお、最初の楽曲も、コンテンツ選択再生装置が選択するようにしても勿論よい。
【００８８】
図７に示すように、ＣＰＵ１０は、まず、ユーザにより選択された１曲目の楽曲を、ハードディスク装置部１４から読み出して、再生を開始する（ステップＳ２０１）。再生を開始すると、ＣＰＵ１０は、ハードディスク装置部１４に記憶されている再生開始指示をしたユーザの属性情報を取得する（ステップＳ２０２）。
【００８９】
次に、生体情報センサ１９を通じて生体情報を取得して、ユーザの心理状態を監視する（ステップＳ２０３）。また、ナビゲーション装置部１７からの位置情報、車速センサ１８からの車速情報および環境情報センサ２０からの環境情報、その他に基づいて、環境状態を監視する（ステップＳ２０４）。
【００９０】
そして、この実施形態では、ステップＳ２０２で取得したユーザ属性情報と、ステップＳ２０３で求めたユーザの心理状態と、ステップＳ２０４で求めた環境状態とから、次にユーザに呈示するのに望ましいと考えられる複数個の再生楽曲候補を、ハードディスク装置部１４の楽曲属性を参照しながら検索して選択（第１の選択）する（ステップＳ２０５）。
【００９１】
次に、ＣＰＵ１０は、ステップＳ２０３で求めたユーザの心理状態とステップＳ２０４で求めた環境状態と、当該ユーザについての登録されているユーザ性向とから、ユーザの心理状態と環境状態とで定まるその時の状態におけるユーザのコンテンツ選択傾向を判定し（ステップＳ２０６）、そのコンテンツ選択傾向に基づいて、ステップＳ２０５で選択した複数の再生楽曲候補の中の１つを選択（第２の選択）して、次の再生楽曲候補として決定する（ステップＳ２０７）。
【００９２】
そして、ＣＰＵ１０は、再生中の楽曲が最後まで再生されたか否か判別し（ステップＳ２０８）、楽曲の最後まで再生されたと判別したときには、当該再生した楽曲についての再生履歴を更新する（ステップＳ２０９）。そして、ＣＰＵ１０は、ステップＳ２０７で決定した次に再生する楽曲の音楽コンテンツのデータの読み出しを指示し、その楽曲の再生を開始するようにする（ステップＳ２１０）。そして、ステップＳ２０３に戻り、当該ステップＳ２０３以降の処理を繰り返す。
【００９３】
また、ステップＳ２０８で、再生中の楽曲が最後まで再生されてはいないと判別したときには、ＣＰＵ１０は、次ボタンが押下されたか否か判別する（ステップＳ２１１）。この次ボタンは、ユーザ（リスナー）が現在聴いている楽曲ではなく、次の楽曲を聴きたいときに押下されるボタンである。
【００９４】
ステップＳ２１１で、次ボタンが押下されたと判別したときには、ＣＰＵ１０は、ステップＳ２０９に進んで、再生中の楽曲の再生を終了して、再生履歴を更新し、その後、ステップＳ２０７で決定された再生楽曲候補の再生を開始するようにする（ステップＳ２１０）。そして、ステップＳ２０３に戻り、ステップＳ２０３以降の処理を繰り返す。
【００９５】
また、ステップＳ２１１で次ボタンが押下されてはいないと判別したときには、映像音響データ選択判断制御部２０１は、操作入力部１３の停止ボタンがユーザにより押下されたか否か判別し（ステップＳ２１２）、停止ボタンが押下されていないと判別したときには、ステップＳ２０８に戻り楽曲の終了を監視する。また、ステップＳ２１１で、停止ボタンが押下されたと判別したときには、この再生処理ルーチンを終了する。
【００９６】
以上のようにして、この実施形態によれば、コンテンツ選択条件のみではなく、前の楽曲を聴取中のユーザの心理状態や環境状態における、ユーザのコンテンツ選択傾向により、次の再生楽曲候補が決定されるので、ユーザが好む楽曲を、的確に提供することができると期待できる。
【００９７】
なお、上述の説明では、第１の選択での選択条件を、第２の選択におけるユーザのコンテンツ選択傾向に反映するようにした場合であるが、そのような関係にすることなく、第１の選択と、第２の選択とを、全く独立に実行するようにしても良い。
【００９８】
上述の実施形態において、環境状態として、同乗者があって会話が弾んでいる状態であることが判別された場合であって、第２の選択でユーザのコンテンツ選択傾向として、「同乗者があって、会話が弾んでいる場合には、歌詞の無いインスツルメンタル曲を選択する」と判断された場合に、当該インスツルメンタル曲が、ハードディスク装置部１４内に存在しない場合がある。
【００９９】
そのような場合には、第２の選択でのユーザのコンテンツ選択傾向を用いたコンテンツ選択が実質上困難になる。しかし、歌手の音声が含まれる曲（以下、ボーカル曲という）から、等価的にインスツルメンタル曲を生成して、ユーザに提供するようにすれば、この問題は解決することができる。
【０１００】
例えば、カラオケ練習装置などで利用されるボーカルキャンセル回路や、ボーカルキャンセルの処理プログラムを用いて、ボーカル曲からボーカルパートを大きく減衰させることで、等価的にインスツルメンタル曲を生成し、それをユーザに提供するようにする。
【０１０１】
なお、同乗者との会話が弾んでいる状態の判別は、次のようにして行うことが可能である。先ず、コンテンツ選択再生装置に備えられる室内音声収音用マイクロホンにより、室内の音声を収音する。そして、好ましくは、この室内音声収音用マイクロホンからの出力信号から、スピーカから放音されている再生音声の音声信号をキャンセルする。このキャンセルのためには、適応信号処理を利用する適応キャンセラー回路を用いる。
【０１０２】
この場合、適応キャンセラー回路に、前記室内音声収音用マイクロホンの出力信号を主要入力として供給すると共に、スピーカから放音される再生音声の音声信号を参照入力として供給するように構成する。スピーカから放音される再生音声の音声信号は、スピーカ再生音のみを収音するように配置された、前記室内音声収音用マイクロホンとは別個のスピーカ再生音収音用マイクロホンから得る。
【０１０３】
適応キャンセラー回路においては、室音音声収音用マイクロホンの出力信号に含まれるスピーカ再生音の音声信号成分と、スピーカ再生音収音用マイクロホンからのスピーカ再生音の音声信号とが、相関が非常に高いことにより、適応信号処理により、室音音声信号から、スピーカ再生音の音声信号が適応低減される。これにより、適応キャンセラー回路の出力信号としての残差出力としては、スピーカ再生音が低減された室内の音声、例えば、会話音声と走行騒音などの音声信号が出力される。
【０１０４】
このようにして、適応キャンセラー回路から得られる室内の音声信号のうち、非定常な部分の音量と、その発生頻度を観測することにより、会話が弾んでいるか否かを判断することができる。
【０１０５】
ユーザに生体情報センサが装着される場合、あるいはユーザの生体情報が適時取得できる場合、以上説明した実施形態のコンテンツ選択再生方法により最終選択された楽曲コンテンツをユーザに提示して聴取させて、所定の時間だけ、その聴取時のユーザの生体情報をＣＰＵはモニターする。
【０１０６】
そして、楽曲コンテンツを提示した結果、より好ましい心理状態に遷移していった場合は、そのまま再生を続けるとともに、ユーザ属性の所定項目に嗜好傾向として記録、あるいはその係数を大きくする。逆に、好ましくない心理状態から離れていった場合は、残りの再生楽曲候補のうち次善の楽曲に変更してみるとともに、ユーザ属性の所定項目に嗜好（嫌悪）傾向として記録、あるいはその係数を小さくする。ユーザ属性ではなく、ユーザ性向の情報として、その嗜好傾向を記録するようにしてもよい。
【０１０７】
［他の実施形態］
以上の実施の形態は、コンテンツ選択再生装置において、音楽コンテンツの格納部を備え、コンテンツ選択条件やユーザ性向に基づくユーザのコンテンツ選択傾向を用いて、再生楽曲候補を選択して楽曲を再生するようにする場合であるが、この発明は、サーバ装置から音楽コンテンツを配信してもらうコンテンツ配信システムにも適用可能である。
【０１０８】
図８は、このコンテンツ配信システムの実施形態の構成例を示すブロック図である。すなわち、この実施形態のコンテンツ配信システムは、コンテンツ配信サーバ装置３０と、コンテンツ受信再生装置４０とが、インターネットなどのネットワーク５０を通じて接続されて構成されている。
【０１０９】
この例においては、コンテンツ配信サーバ装置３０は、コンテンツ選択配信部３１と、コンテンツ格納部３２と、コンテンツ選択用情報記憶部３３とを備える。そして、音楽コンテンツおよび楽曲属性の情報はコンテンツ格納部３２に格納されている。また、コンテンツを選択するためのユーザ毎の情報は、コンテンツ選択用情報記憶部３３に、ユーザＩＤに対応して記憶されている。この実施形態では、このコンテンツ選択用情報記憶部３３に記憶されるコンテンツ選択用情報は、ユーザから配信要求があったときに、一時的に格納されるものとする。
【０１１０】
コンテンツ受信再生装置４０は、音楽コンテンツのデータ（楽曲コンテンツデータと楽曲属性データ）の記憶部は備えないが、その他は、前述の図１に示したコンテンツ選択再生装置の構成とほぼ同様とされている。そして、コンテンツ受信再生装置４０は、図１の構成に加えて、ネットワーク５０を通じてコンテンツ配信サーバ装置３０と通信を行なうための通信インターフェースを備えるものである。
【０１１１】
この実施形態では、コンテンツ受信再生装置４０のユーザは、ユーザＩＤを含む配信要求を、ネットワーク５０を通じてコンテンツ配信サーバ装置３０に送る。また、コンテンツ受信再生装置４０は、生体情報センサで取得した情報、環境情報センサで取得した情報、車速センサで取得した情報およびナビゲーション装置で取得した位置情報を、コンテンツ配信サーバ装置３０に送る。さらに、コンテンツ受信再生装置４０は、ユーザ属性情報およびユーザ性向の情報も、コンテンツ配信サーバ装置３０に送る。
【０１１２】
コンテンツ配信サーバ装置３０のコンテンツ選択配信部３１は、受信した配信要求に含まれるユーザＩＤにより、誰からの配信要求であるかを判別する。そして、そのユーザＩＤに対応付けて、受信したユーザの生体情報、環境情報、車速情報、位置情報、ユーザ属性情報、ユーザ性向の情報を、コンテンツ選択用情報記憶部３３に格納する。
【０１１３】
そして、コンテンツ選択配信部３１は、前述の実施形態と同様に、先ず、ユーザの生体情報等から求められたユーザの心理状態、環境情報や車速情報や位置情報から求められた環境状態、ユーザ属性情報から求められる、前述したようなコンテンツ選択条件の少なくとも一つに基づいて、ユーザに配信する楽曲の候補を選択（第１の選択）する。この第１の選択によって選択される配信楽曲候補としては、複数個が選択される。
【０１１４】
次に、コンテンツ選択配信部３１は、ユーザの生体情報等から求められたユーザの心理状態と、環境情報や車速情報や位置情報から求められた環境状態とを参照しつつ、ユーザの性向の情報に基づいて、ユーザのコンテンツ選択傾向を判定し、複数個の配信楽曲候補の中から、１つの配信コンテンツを決定する（第２の選択）。
【０１１５】
そして、コンテンツ選択配信部３１は、決定した配信コンテンツのデータを、コンテンツ格納部３２から読み出して、ネットワーク５０を通じて、配信要求してきたコンテンツ受信再生装置４０にダウンロードする。
【０１１６】
上述の実施態様のうち、ユーザの生体情報を取得するための生体情報センサやユーザの現在位置を知るナビゲーション装置部などは、ローカルなクライアント端末としてのコンテンツ受信再生装置４０に必要な要件であるが、
・ユーザ生体情報からユーザの心理状態を検知する演算部分、
・ユーザがどこの道路（市街地、ハイウェイ、地方道など）を走行しているか、あるいはユーザの現在地は海沿いなのか山間なのか、はたまた近くに観光スポットがあるかなどの情報を検索する部分、
・ユーザの現在地付近の天候や気温、あるいは渋滞状況などを取得する部分、
・これらの選択条件に基づいて“候補”となる楽曲コンテンツを選択する部分、
・予め登録されてあるユーザの“性向”に基づいて最終選択コンテンツを選択してユーザ端末に配信する部分
などは、コンテンツ配信サーバ装置３０側で処理をすることができる。
【０１１７】
なお、図８のシステムでは、コンテンツ配信サーバ装置３０側に、コンテンツデータおよびその属性情報を格納するコンテンツ格納部を設け、コンテンツデータをコンテンツ受信再生装置４０に配信するようにしたが、コンテンツデータを配信するのではなく、コンテンツＩＤのみを、サーバ側から配信するように構成することもできる。
【０１１８】
図９は、その場合のコンテンツ検索システムの構成例を示すブロック図である。このシステムは、コンテンツ検索サーバ装置６０と、コンテンツ再生装置７０とが、インターネット等のネットワーク５０を介して接続されて構成される。
【０１１９】
コンテンツ検索サーバ装置６０は、ユーザＩＤに対応して、当該ユーザが所有するコンテンツ再生装置７０のコンテンツ格納部７１に格納されている楽曲属性などのコンテンツ属性の情報が記憶されているコンテンツ属性情報記憶部６２と、このコンテンツ属性情報記憶部６２のコンテンツ属性情報から、ユーザ端末としてのコンテンツ再生装置７０に配信するコンテンツを検索し、そのコンテンツＩＤをコンテンツ再生装置７０に配信するコンテンツ検索配信部６１とを備える。
【０１２０】
コンテンツ再生装置７０からは、自装置が備えるコンテンツ格納部７１に格納されているコンテンツＩＤを、コンテンツ検索サーバ装置６０に送るようにする。最初は、コンテンツ格納部７１に格納されている全部のコンテンツのコンテンツＩＤをユーザＩＤと共に、サーバ装置６０に送る必要があるが、一度、送信した後には、新たなコンテンツがコンテンツ格納部７１に追加されたり、コンテンツが削除されたりしたときなど、コンテンツ格納部７１の内容が変化するときにのみ、当該追加あるいは削除されたコンテンツＩＤをユーザＩＤと共に、サーバ装置６０に送ればよい。
【０１２１】
サーバ装置６０は、コンテンツＩＤを受け取ると、当該コンテンツＩＤで識別されるコンテンツの属性情報を、例えばネットワーク５０を介して取得して、コンテンツ属性情報記憶部６２に、ユーザＩＤおよびコンテンツＩＤに対応して格納する。なお、コンテンツ再生装置７１側にコンテンツ属性情報が記憶されている場合には、コンテンツＩＤと共に、コンテンツ属性情報をサーバ装置６０に送るようにしてもよい。その場合には、サーバ装置６０では、コンテンツ属性情報を他から取得する必要はない。
【０１２２】
そして、コンテンツ検索配信部６１は、前述の実施形態と同様に、先ず、ユーザの生体情報等から求められたユーザの心理状態、環境情報や車速情報や位置情報から求められた環境状態、ユーザ属性情報から求められる、前述したようなコンテンツ選択条件の少なくとも一つに基づいて、ユーザに配信する楽曲の候補を、コンテンツ属性情報記憶部６２の当該ユーザＩＤに対応して記憶されている複数のコンテンツの属性情報から選択（第１の選択）する。この第１の選択によって選択される配信コンテンツ候補としては、複数個が選択される。
【０１２３】
次に、コンテンツ検索配信部６１は、ユーザの生体情報等から求められたユーザの心理状態と、環境情報や車速情報や位置情報から求められた環境状態とを参照しつつ、ユーザの性向の情報に基づいて、ユーザのコンテンツ選択傾向を判定し、複数個の配信コンテンツ候補の中から、１つの配信コンテンツを決定する（第２の選択）。
【０１２４】
そして、コンテンツ選択配信部６１は、決定した配信コンテンツのコンテンツＩＤを、ネットワーク５０を通じて、検索要求してきたコンテンツ再生装置７０にダウンロードする。
【０１２５】
コンテンツ再生装置７０は、受信したコンテンツＩＤを用いて、コンテンツ格納部７１から対応するコンテンツデータを読み出し、再生するようにする。
【０１２６】
以上のような、コンテンツ配信システムやコンテンツ検索システムによれば、ユーザ端末としてのコンテンツ受信再生装置やコンテンツ再生装置の処理負担は軽くなり、コスト的にも抑えることができる。
【０１２７】
また、図８のようなコンテンツ配信システムによれば、大容量の記憶メディアを持っていない携帯端末への応用もできる。
【０１２８】
すなわち、この発明は、上述の実施形態のような自動車に搭載されたオーディオ再生装置、つまりカーオーディオ装置のようなコンテンツ選択再生装置に限られるものではなく、携帯再生装置などにも適用可能である。近年は、ハードディスク装置搭載のポータブル音楽プレイヤーのように大容量の記録メディアが普及してきており、大量の楽曲コンテンツが記録されているので、その中からユーザの心理状態や状況に適した楽曲を選択して再生する技術は非常に有益である。
【０１２９】
なお、図８および図９のシステムの説明においては、ユーザ性向情報は、コンテンツ受信再生装置４０やコンテンツ再生装置７０からサーバ装置３０や６０に送り、一時的に、サーバ装置３０，６０で、記憶するようにしたが、コンテンツ受信再生装置４０やコンテンツ再生装置７０で、ユーザ性向情報を更新しない場合には、予めアンケート調査などにより収集したユーザ性向を、ユーザＩＤに対応して、サーバ装置３０，６０の記憶部に記憶しておくようにしてもよい。
【０１３０】
［その他の変形例］
なお、上述の実施の形態の説明では、大容量の記憶手段として、ハードディスク装置を用いたが、ハードディスク装置の代わりに、大容量の書き換え可能な光ディスクを用いる書き込み／読み出し装置部を用いることもできる。
【０１３１】
また、上述の実施形態においては、ユーザの心理状態または周辺環境状態に基づいて、コンテンツ格納部中から複数のコンテンツを選択し、その後、ユーザのコンテンツ選択傾向に基づいて、１つのコンテンツに絞り込むようにしたが、逆に、ユーザのコンテンツ選択傾向に基づいて、最初に複数のコンテンツを選択し、その後、ユーザの心理状態や周辺環境状態に応じて、１つのコンテンツに絞り込むようにしても良い。
【０１３２】
また、以上の実施の形態は、楽曲コンテンツを選択して再生する場合であるが、選択対象のコンテンツとしては、楽曲に限らず、例えば映画のコンテンツなどの映像コンテンツを選択して再生する場合にも適用可能である。
【０１３３】
また、以上のコンテンツ選択条件は、例示であり、これらのみに限定されるわけではない。例えば、再生履歴からユーザの嗜好傾向を判定し、その判定結果に基づいて複数の再生楽曲候補を選択し、その後、周辺環境状態や生体情報を参照して、その時の心理状態や環境状態を判定し、当該判定された心理状態や環境状態におけるユーザのコンテンツ選択傾向を求めて、最終的な再生楽曲候補を選択するようにすることもできる。
【０１３４】
なお、以上の実施形態は、楽曲コンテンツの選択についてこの発明を適用した場合であるが、映画やテレビ番組などの映像コンテンツや、ゲームコンテンツ、電子書籍のコンテンツの選択についても、この発明は適用可能であることは言うまでもない。
【図面の簡単な説明】
【０１３５】
【図１】この発明によるコンテンツ選択再生装置の一実施形態のブロック図である。
【図２】図１の実施形態の説明のための図である。
【図３】図１の実施形態の説明のための図である。
【図４】図１の実施形態におけるユーザ性向の登録処理を説明するためのフローチャートである。
【図５】図１の実施形態におけるユーザの心理状態の例を説明するための図である。
【図６】図１の実施形態における環境状態を判定するための情報の例を示す図である。
【図７】図１の実施形態における自動選曲再生動作を説明するためのフローチャートである。
【図８】この発明によるコンテンツ配信システムの構成例を示すブロック図である。
【図９】この発明によるコンテンツ検索システムの構成例を示すブロック図である。
【符号の説明】
【０１３６】
１０…ＣＰＵ、１４…ハードディスク装置、１５…時計部、１７…ナビゲーション装置部、１８…車速センサ、１９…生体情報センサ、１９…環境情報センサ
【図１】
2006146630.tif 000003
【図２】
2006146630.tif 000004
【図３】
2006146630.tif 000005
【図４】
2006146630.tif 000006
【図５】
2006146630.tif 000007
【図６】
2006146630.tif 000008
【図７】
2006146630.tif 000009
【図８】
2006146630.tif 000010
【図９】
2006146630.tif 000011